【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
商品陳列エリアと少なくとも一カ所の入口及び少なくとも一カ所の出口（入口と出口は同じ場合がある）と少なくとも１つのショッピングカートまたはそれに類するものを含む小売業環境のためのセキュリティシステムにおいて、前記ショッピングカートにはプロセッサを内蔵した受信専用の無線受信機を具備するセキュリティ装置が装着されており、前記無線受信機は小売業環境内に設置された少なくとも１つの送信機から送信される無線信号を受信するようになっており、前記プロセッサは受信された無線信号を解析して小売業環境内における前記セキュリティ装置の少なくとも位置を割り出すようになっており、前記ショッピングカートまたはそれに類するものが前記出口及び／または入口を通過する前に通らねばならない小売業環境内にある所定のチョークポイントには少なくとも１つの送信機が設置されている、セキュリティシステム。
【請求項２】
商品陳列エリアと少なくとも一カ所の入口及び少なくとも一カ所の出口（入口と出口は同じ場合がある）と少なくとも１つのショッピングカートまたはそれに類するものを含む小売業環境のためのセキュリティシステムにおいて、前記ショッピングカートにはプロセッサを内蔵した無線受信機を具備するセキュリティ装置が装着されており、前記無線受信機は小売業環境内に設置された少なくとも１つの送信機から送信される無線信号を受信するようになっており、前記プロセッサは受信された無線信号を解析して前記少なくとも１つの送信機に対する前記セキュリティ装置の少なくとも移動方向を割り出すようになっている、セキュリティシステム。
【請求項３】
前記プロセッサは所定の信号または互いに識別可能な信号から成る所定のシーケンスが１つ以上の送信機から受信されたときに警報信号を発信するように構成されている、請求項１または２に記載のセキュリティシステム。
【請求項４】
前記セキュリティ装置は前記警報信号が発信されたときに前記ショッピングカートまたはそれに類するものに装備された車輪ロック装置に信号を送信するようになっている送信機を更に具備する、請求項３に記載のセキュリティシステム。
【請求項５】
前記警報信号は可聴警報装置または視覚警報装置または他の警報装置を作動させる、請求項３または４に記載のセキュリティシステム。
【請求項６】
前記警報装置は前記車輪ロック装置が作動するのに先立って前記警報信号に応答して作動するように構成されている、請求項４に従属する請求項５に記載のセキュリティシステム。
【請求項７】
前記プロセッサは前記セキュリティ装置が特定の少なくとも１つの送信機を通過する回数をカウントするようになっている、請求項１〜６のいずれかに記載のセキュリティシステム。
【請求項８】
前記プロセッサは特定の少なくとも１つの送信機を通過する際の前記セキュリティ装置の移動方向を割り出すようになっている、請求項１または３〜７のいずれかに記載のセキュリティシステム。
【請求項９】
小売業環境は商品陳列エリアと少なくとも一カ所の出口との間に位置する少なくとも一カ所の勘定または支払ポイントを含んでおり、少なくとも一カ所の勘定または支払ポイントと少なくとも一カ所の出口との間にある領域内の商品陳列エリア外には前記チョークポイントが設けられている、請求項１または３〜８のいずれかに記載のセキュリティシステム。
【請求項１０】
小売業環境は商品陳列エリア外に位置する食堂及び／またはトイレ設備を含んでおり、商品陳列エリアと食堂及び／またはトイレ設備との境目には前記チョークポイントが設けられている、請求項１または３〜９のいずれかに記載のセキュリティシステム。
【請求項１１】
前記セキュリティ装置及び／または前記少なくとも１つの送信機に無線制御信号を発信するようになっている少なくとも１つの携帯型遠隔制御装置を更に具備する、請求項１〜１０のいずれかに記載のセキュリティシステム。
【請求項１２】
商品陳列エリアと少なくとも一カ所の入口及び少なくとも一カ所の出口（入口と出口は同じ場合がある）と少なくとも１つのショッピングカートまたはそれに類するものを含む小売業環境においてセキュリティを実施する方法であって、前記ショッピングカートにはプロセッサを内蔵した受信専用の無線受信機を具備するセキュリティ装置が装着され、前記無線受信機は小売業環境内に設置された少なくとも１つの送信機から送信される無線信号を受信し、前記プロセッサは受信された無線信号を解析して小売業環境内における前記セキュリティ装置の少なくとも位置を割り出し、前記ショッピングカートまたはそれに類するものが前記出口及び／または入口を通過する前に通らねばならない小売業環境内にある所定のチョークポイントには少なくとも１つの送信機が設置される、セキュリティ方法。
【請求項１３】
商品陳列エリアと少なくとも一カ所の入口及び少なくとも一カ所の出口（入口と出口は同じ場合がある）と少なくとも１つのショッピングカートまたはそれに類するものを含む小売業環境においてセキュリティを実施する方法であって、前記ショッピングカートにはプロセッサを内蔵した無線受信機を具備するセキュリティ装置が装着され、前記無線受信機は小売業環境内に設置された少なくとも１つの送信機から送信される無線信号を受信し、前記プロセッサは受信された無線信号を解析して前記少なくとも１つの送信機に対する前記セキュリティ装置の少なくとも移動方向を割り出す、セキュリティ方法。
【請求項１４】
前記プロセッサは所定の信号または互いに識別可能な信号から成る所定のシーケンスが１つ以上の送信機から受信されたときに警報信号を発信する、請求項１２または１３に記載のセキュリティ方法。
【請求項１５】
前記セキュリティ装置は前記警報信号が発信されたときに前記ショッピングカートまたはそれに類するものに装備された車輪ロック装置に信号を送信する送信機を更に具備する、請求項１４に記載のセキュリティ方法。
【請求項１６】
前記警報信号は可聴警報装置または視覚警報装置または他の警報装置を作動させる、請求項１４または１５に記載のセキュリティ方法。
【請求項１７】
前記警報装置は前記車輪ロック装置が作動するのに先立って前記警報信号に応答して作動する、請求項１５に従属する請求項１６に記載のセキュリティ方法。
【請求項１８】
前記プロセッサは前記セキュリティ装置が特定の少なくとも１つの送信機を通過する回数をカウントする、請求項１２〜１７のいずれかに記載のセキュリティ方法。
【請求項１９】
前記プロセッサは特定の少なくとも１つの送信機を通過する際の前記セキュリティ装置の移動方向を割り出す、請求項１２または１４〜１８のいずれかに記載のセキュリティ方法。
【請求項２０】
小売業環境は商品陳列エリアと少なくとも一カ所の出口との間に位置する少なくとも一カ所の勘定または支払ポイントを含んでおり、少なくとも一カ所の勘定または支払ポイントと少なくとも一カ所の出口との間にある領域内の商品陳列エリア外に前記チョークポイントが設けられる、請求項１２または１４〜１９のいずれかに記載のセキュリティ方法。
【請求項２１】
小売業環境は商品陳列エリア外に位置する食堂及び／またはトイレ設備を含んでおり、商品陳列エリアと食堂及び／またはトイレ設備との境目に前記チョークポイントが設けられる、請求項１２または１４〜２０のいずれかに記載のセキュリティ方法。
【請求項２２】
前記セキュリティ装置及び／または前記少なくとも１つの送信機に無線制御信号を発信する少なくとも１つの携帯型遠隔制御装置が更に提供される、請求項１２〜２１のいずれかに記載のセキュリティ方法。
【請求項２３】
プロセッサを内蔵する受信専用の無線受信機を具備しておりショッピングカートまたはそれに類するものに用いられるセキュリティ装置であって、前記無線受信機は少なくとも１つの送信機から送信される無線信号を受信するようになっており、前記プロセッサは受信された無線信号を解析して所定の空間エリア内における当該装置の少なくとも位置を割り出すようになっている、セキュリティ装置。
【請求項２４】
前記プロセッサは所定の信号または互いに識別可能な信号から成る所定のシーケンスが１つ以上の送信機から受信されたときに警報信号を発信するように構成されている、請求項２３に記載のセキュリティ装置。
【請求項２５】
前記警報信号が発信されたときに前記ショッピングカートまたはそれに類するものに装備された車輪ロック装置に信号を送信するようになっている送信機を更に含む、請求項２４に記載のセキュリティ装置。
【請求項２６】
前記警報信号は可聴警報装置または視覚警報装置または他の警報装置を作動させる、請求項２３〜２５のいずれかに記載のセキュリティ装置。
【請求項２７】
前記警報装置は前記車輪ロック装置が作動するのに先立って前記警報信号に応答して作動するように構成されている、請求項２４に従属する請求項２６に記載のセキュリティ装置。
【請求項２８】
前記プロセッサは特定の少なくとも１つの送信機を通過する際の当該装置の移動方向を割り出すようになっている、請求項２３〜２７のいずれかに記載のセキュリティ装置。